(57)【要約】      （修正有）【課題】多様な装飾効果を奏し、商品価値を大幅に向上させることができる装飾用装飾品を提供する。【解決手段】前面が平面１１ａあるいは曲面であり、後面が突出した三角形をなす突状断面の透明素材からなる装飾品本体１１と、該装飾品本体の後面に複数の適宜のカット１２を施すことにより、装飾品本体の前面から所望のモチーフ１３が見えるようにした。【選択図】図１
0003227075.tif 000002
【実用新案登録請求の範囲】
【請求項１】
前面が平面あるいは曲面であり、後面が突出した三角形をなす突状断面の透明素材からなる装飾品本体と、該装飾品本体の後面に複数の適宜のカットを施すことにより、前記装飾品本体の前面から所望のモチーフが見えるようにしたことを特徴とする装飾用装飾品。
【請求項２】
前記装飾品本体は、水晶、天然石、処理石、模造石、合成石、人造石、透明ガラス素材あるいは透明樹脂素材から選ばれてなることをも特徴とする請求項１に記載の装飾用装飾品。
【請求項３】
前記複数の適宜のカットは、平面カットの組み合わせからなることをも特徴とする請求項１または請求項２に記載の装飾用装飾品。
【請求項４】
前記複数の適宜のカットは、球面カットの組み合わせからなることをも特徴とする請求項１または請求項２に記載の装飾用装飾品。
【考案の詳細な説明】
【技術分野】
【０００１】
本考案は、指輪やペンダント、ネックレス、ブローチ、イヤリング、ブレスレット等の各種の装身具や、ヘアピン、キーホルダ、あるいは置物などの装飾に好適に使用される装飾用装飾品に関する。
【背景技術】
【０００２】
従来、指輪等に用いられる宝石は、ファセットカットやステップカットと呼ばれるカットを下面に施し、光の反射を利用して宝石の透明度と輝きを最大限に生かすよう計算されたものである。
他方、上面を多角形あるいは湾曲に形成し、底面をフラットに形成した合成樹脂製またはガラス製の装飾品も知られている。
【０００３】
しかしながら、表面を平面のままにしておいて、背面を突状断面に加工した透明素材を利用し、この突状断面の背面にカットを施して、所望のモチーフを表面に現出させるようにした装飾品はいままで存在しなかった。
【先行技術文献】
【特許文献】
【０００４】
【特許文献１】特になし
【考案の概要】
【考案が解決しようとする課題】
【０００５】
しかしながら、従来の装飾用装飾品は、それ自体の形状や色合いの装飾性はあるものの、それ以上の多様な装飾効果をほとんど発揮してないという問題があった。
【０００６】
本考案は、このような問題に鑑みてなされたものであって、多様な装飾効果を奏し、商品価値を大幅に向上させることができる装飾用装飾品の提供を課題とする。
【課題を解決するための手段】
【０００７】
本考案の装飾用装飾品は上記課題を解決するために、前面が平面あるいは曲面であり、後面が突出した三角突状断面の透明素材からなる装飾品本体と、該装飾品本体の後面に複数の適宜のカットを施すことにより、前記装飾品本体の前面から所望のモチーフが見えるようにしたことを特徴とするものである。
【０００８】
本考案の装飾用装飾品において、前記装飾品本体は、水晶、天然石、処理石、模造石、合成石、人造石、透明ガラス素材あるいは透明樹脂素材から選ばれてなることをも特徴とする請求項１に記載の装飾用装飾品。
【０００９】
本考案の装飾用装飾品において、前記複数の適宜のカットは、平面カットの組み合わせからなることをも特徴とするものである。
【００１０】
本考案の装飾用装飾品において、前記複数の適宜のカットは、球面カットの組み合わせからなることをも特徴とするものである。
【考案の効果】
【００１１】
本考案の装飾用装飾品によれば、前面が平面あるいは曲面であり、後面が突出した三角突状断面の透明素材からなる装飾品本体と、該装飾品本体の後面に複数の適宜のカットを施すことにより、前記装飾品本体の前面から所望のモチーフが見えるようにしたものである。
したがって、多様な装飾効果を奏し、商品価値を大幅に向上させることができる装飾用装飾品の提供が可能となった。
【００１２】
本考案の装飾用装飾品によれば、前記装飾品本体は、水晶、天然石、処理石、模造石、合成石、人造石、透明ガラス素材あるいは透明樹脂素材から選ばれてなることをも特徴とするものである。
したがって、各素材の特性を生かして多様な装飾効果を奏し、商品価値を大幅に向上させることができる装飾用装飾品の提供が可能となった。
【００１３】
本考案の装飾用装飾品によれば、前記複数の適宜のカットは、平面カットの組み合わせからなることをも特徴とするものである。
したがって、非常にシンプルな平面カットの組み合わせで、多様な装飾効果を奏し、商品価値を大幅に向上させることができる装飾用装飾品の提供が可能となった。
【００１４】
本考案の装飾用装飾品によれば、前記複数の適宜のカットは、球面カットの組み合わせからなることをも特徴とするものである。
したがって、非常にシンプルな球面カットの組み合わせで、多様な装飾効果を奏し、商品価値を大幅に向上させることができる装飾用装飾品の提供が可能となった。
【図面の簡単な説明】
【００１５】
【図１】本考案の装飾用装飾品の実施の形態を示すものであり、（ａ）は表面側から星形のモチーフが表出する第１実施例の概略正面図、（ｂ）はその背面側から見た概略斜視図である。
【図２】その正面側から見たカットの形状を示す概略斜視図である。
【図３】その背面側から見たカットの形状を示す概略背面図である。
【図４】カットの形状を示す概略左側面図である。
【図５】カットの形状を示す概略透視平面図である。
【図６】表面側から上下に向き合う柱状のモチーフが表出する第２実施例の反射状態を含めた概略正面図である。
【図７】その背面側のカットの形状を示す概略斜視図である。
【図８】その概略正面図である。
【図９】その概略背面図である。
【図１０】カットの形状を示す概略左側面図である。
【図１１】カットの形状を示す概略透視平面図である。
【図１２】表面側から大小種々のサイズの泡状のモチーフが表出する第３実施例の概略正面図である。
【図１３】そのカットの形状を示す概略斜視図である。
【図１４】その表面側に見えるカットの形状を示す概略正面図である。
【図１５】そのカットの形状を示す概略背面図である。
【図１６】そのカットの形状を示す概略左側面図である。
【図１７】そのカットの形状を示す概略透視平面図である。
【考案を実施するための形態】
【００１６】
以下、本考案の装飾用装飾品の実施の形態について図面を参照しつつ説明する。
図１ないし図５は本実施例の装飾用装飾品１０の表面側から星形のモチーフが表出する第１実施例を示し、前面が平滑な平面１１ａであり、後面が突出部１１ｂを備えた三角形をなす突状断面の透明素材からなる装飾品本体１１と、該装飾品本体１１後面に複数の適宜のカット１２を施すことにより、前記装飾品本体１１の前面から所望のモチーフ１３が見えるようにしたものである。
【００１７】
特に前記複数の適宜のカットは、平面カット１２ａ，１２ｂの組み合わせからなり、この平面カット１２ａ，１２ｂを適宜組み合わせることにより、図１のような星形のモチーフ１３を表現できるようになったのである。
すなわち、前記突出部１１ｂの上部から下向きにほぼ三角形の第１の平面カット１２ａを切り込み、次に前記突出部１１ｂの下部から上向きにほぼ三角形の第２の平面カット１２ｂを切り込むことにより、図１のような星形のモチーフ１３を表現できたのである。
したがって、多様な装飾効果を奏し、商品価値を大幅に向上させることができる装飾用装飾品１０の提供が可能となった。
【００１８】
本実施例の装飾用装飾品１０において、前記装飾品本体１１は、水晶、天然石、処理石、模造石、合成石、人造石、透明ガラス素材あるいは透明樹脂素材から選ばれてなるものである。
特に前記透明樹脂素材としては、メタクリル樹脂ないしポリエチレン樹脂の２種類が好適に使用できる。
したがって、各素材の特性を生かして多様な装飾効果を奏し、商品価値を大幅に向上させることができる装飾用装飾品１０の提供が可能となった。
【００１９】
次に、図６ないし図１１は本考案の装飾用装飾品２０の表面側から上下に向き合う柱状のモチーフが表出する第２実施例を示し、前面が平滑な平面２１ａであり、後面が突出部２１ｂを備えた三角形をなす突状断面の透明素材からなる装飾品本体２１と、該装飾品本体２１後面に複数の適宜のカット２２を施すことにより、前記装飾品本体２１の前面から所望のモチーフ２３が見えるようにしたものである。
【００２０】
特に前記複数の適宜のカットは、平面カット２２ａ，２２ｂ，２２ｃの組み合わせからなり、この平面カット２２ａ，２２ｂ，２２ｃを適宜組み合わせることにより、図６のような室内をイメージした造形のようなモチーフ２３を表現できるようになったのである。
すなわち、前記突出部２１ｂの上部において、前記装飾品本体２１の背面側から見た前記突出部２１ｂの左側上部から下向きにほぼ矩形の第１の平面カット２２ａを切り込み、次に前記装飾品本体２１の背面側から見た前記突出部２１ｂの右側上部から下向きにほぼ矩形の第２の平面カット２２ｂを切り込む。そしてその下部にかなり小さい矩形の第３の平面カット２２ｃを切り込む。
【００２１】
ついで、前記突出部２１ｂの下部において、前記装飾品本体２１の背面側から見た前記突出部２１ｂの右側下部から上向きにほぼ矩形の第１の平面カット２２ａを切り込み、次に前記装飾品本体２１の背面側から見た前記突出部２１ｂの左側下部から上向きにほぼ矩形の第２の平面カット２２ｂを切り込む。そしてその上部にかなり小さい矩形の第３の平面カット２２ｃを切り込むことにより、図６のような室内の造形のようなモチーフ２３を表現できたのである。
したがって、多様な装飾効果を奏し、商品価値を大幅に向上させることができる装飾用装飾品２０の提供が可能となった。
【００２２】
本実施例の装飾用装飾品２０において、前記装飾品本体２１は、水晶、天然石、処理石、模造石、合成石、人造石、透明ガラス素材あるいは透明樹脂素材から選ばれてなるものである。
特に前記透明樹脂素材としては、メタクリル樹脂ないしポリエチレン樹脂の２種類が好適に使用できる。
したがって、各素材の特性を生かして多様な装飾効果を奏し、商品価値を大幅に向上させることができる装飾用装飾品２０の提供が可能となった。
【００２３】
図１２ないし図１７は本考案の装飾用装飾品３０の表面側から上下に並び合う球状のモチーフが表出する第３実施例を示し、前面が平滑な平面３１ａであり、後面が突出部３１ｂを備えた三角形をなす突状断面の透明素材からなる装飾品本体３１と、該装飾品本体３１後面に複数の適宜のカット３２を施すことにより、前記装飾品本体３１の前面から所望のモチーフ３３が見えるようにしたものである。
【００２４】
特に前記複数の適宜のカットは、大小いくつかのサイズの球面（半球状）カット３２ａの組み合わせからなり、この球面カット３２ａを適宜組み合わせることにより、図１２のような水滴状のモチーフ３３を表現できるようになったのである。もちろん、ブドウの房やその他の果実のような適宜のモチーフを表現することもできる。
したがって、多様な装飾効果を奏し、商品価値を大幅に向上させることができる装飾用装飾品３０の提供が可能となった。
【００２５】
本実施例の装飾用装飾品３０において、前記装飾品本体３１は、水晶、天然石、処理石、模造石、合成石、人造石、透明ガラス素材あるいは透明樹脂素材から選ばれてなるものである。
特に前記透明樹脂素材としては、メタクリル樹脂ないしポリエチレン樹脂の２種類が好適に使用できる。
したがって、各素材の特性を生かして多様な装飾効果を奏し、商品価値を大幅に向上させることができる装飾用装飾品３０の提供が可能となった。
【産業上の利用可能性】
【００２６】
本考案の装飾用装飾品は以上のように構成されており、前面が平滑な平面あるいは曲面であって、後面が突出部を備えた三角形をなす突状断面の透明素材からなる装飾品本体と、該装飾品本体後面に複数の適宜のカットを施すことにより、前記装飾品本体の前面から所望のモチーフが見えるようにしたものである。ちなみに、上記曲面とはカボションのような形状である。
したがって、多様な装飾効果を奏し、商品価値を大幅に向上させることができる装飾用装飾品を提供することができる。
すなわち、上述した指輪やペンダント、ネックレス、ブローチ、イヤリング、ブレスレット等の各種の装身具や、ヘアピン、キーホルダ、置物などの装飾に好適に使用される装飾用装飾品としてのみならず、種々の用途に使用可能な装飾用装飾品として適用することが可能となった。
【符号の説明】
【００２７】
１０  装飾用装飾品
１１  装飾品本体
１１ａ  平面
１１ｂ  突出部
１２  カット
１２ａ，１２ｂ  平面カット
１３  星形のモチーフ
２０  装飾用装飾品
２１  装飾品本体
２１ａ  平面
２１ｂ  突出部
２２  カット
２２ａ，２２ｂ，２２ｃ  平面カット
２３  室内の造形のようなモチーフ
３０  装飾用装飾品
３１  装飾品本体
３１ａ  平面
３１ｂ  突出部
３２  カット
３２ａ  球面（半球状）カット
３３  水滴状のモチーフ
【図１】
0003227075.tif 000003
【図２】
0003227075.tif 000004
【図３】
0003227075.tif 000005
【図４】
0003227075.tif 000006
【図５】
0003227075.tif 000007
【図６】
0003227075.tif 000008
【図７】
0003227075.tif 000009
【図８】
0003227075.tif 000010
【図９】
0003227075.tif 000011
【図１０】
0003227075.tif 000012
【図１１】
0003227075.tif 000013
【図１２】
0003227075.tif 000014
【図１３】
0003227075.tif 000015
【図１４】
0003227075.tif 000016
【図１５】
0003227075.tif 000017
【図１６】
0003227075.tif 000018
【図１７】
0003227075.tif 000019